(57)【要約】【課題】横積み型の従来の土のう袋は、隣接する土のう袋との間にスキマができる事と、保管や備蓄の場所が限定されるため、都市部の道路の冠水等での初期災害に、迅速な対応が難しい事。【解決手段】安定性のある自立型で、作り方が簡単且つ、使用時にスキマがなく、軽量で保管や備蓄場所を選ばない保存可能タイプの土のう袋（縦置型）。【選択図】                    図４
2005016051.tif 000002
【特許請求の範囲】
【請求項１】
底面が円形、三角形又は多角形を有する自立性をもった筒状の土のう用袋体。
【請求項２】
側面の一部に、縦方向に強度を有し、自立をより安定化させるための支持機能をつけた、請求項１の筒状の土のう用袋体。
【請求項３】
筒状の土のう用袋体の中に、さらに安定して自立するための構造体を入れた、請求項１又は請求項２の筒状の土のう用袋体。
【請求項４】
請求項３の構造体の代わりに、側面を強化して自立を安定させるため、袋の下部１／１０〜９／１０に袋体と同素材又は、それに類する素材を縫製や貼り付けした、請求項１又は請求項２の筒状の土のう用袋体。
【発明の詳細な説明】
【０００１】
【発明が属する技術分野】
本発明は、台風や集中豪雨等に伴って発生する水害に対し、土砂又は吸水性高分子を用いた土のう袋として浸水防止に役立つものである。
特に都市部や市町村の舗装道路の冠水等から、住宅や地下道入口への浸水を阻止することを主目的に、自立性を持たせることにより取り扱いの簡便さを開発したものである。
【０００２】
【従来の技術】
従来の土のう袋は、麻や合繊の織編物や不織布又は防水性の布等により、側と上下だけを縫製又は接着させたセメント袋型の袋が主であり、横に積み重ねて使用する方法（たとえば、特許文献１参照。）がとられてきた。
【特許文献１】
特開２０００−３０３４２４号公報  第５頁  図３
【０００３】
この方法は、袋を土や砂のある所まで運び、人力で土や砂を入れ、袋の口を縛ってトラック等で水害の現場まで運び、それから積み重ね作業がなされるため、材料の保管や備蓄場所が限定されていた。
【０００４】
使用後は、再び人手を使ってトラック等で撤去し、袋の内容物をしかる場所に捨てる必要があった。
【０００５】
【発明が解決しようとする課題】
従来のセメント袋型の土のう袋は、タテ積みでも横積みでも、隣接する土のう袋とのスキマを完全になくすることは構造上難しく、水漏れが発生していた。
【０００６】
水害の恐れが発生してから土のう袋を積み重ねるまで、従来のやり方では人手と手間がかかり、迅速な対応が難しい。
【０００７】
従来の土のう袋は、中に土や砂を入れるため２０Ｋｇ前後もあり、重たくて老人や女子による運搬や共同作業には不向きである。
【０００８】
後始末にも人手と手間がかかり、多大な費用と時間がかかる。
【０００９】
【課題を解決するための手段】
上記の課題を解決するため、スキマが発生する横積み型を、スキマのない請求項１から請求項４に記載した、より安定性のある自立型（縦置型）の筒状土のう用袋体を発明した。
【００１０】
本発明の土のう袋は、災害の恐れがある地域の近辺、例えば市町村役場や学校、公民館、集会場などにも保管や備蓄が容易であり、迅速な対応が出来る。
【００１１】
本発明による土のう袋は、使用時の大きさや重さを考慮しており、住民による土のう作成や運搬、共同作業を可能にすることにより、迅速な対応ができ、被害を最小限に押さえることが出来る。
【００１２】
吸水性高分子を使えば、使用後、袋体の内容物をゲル破壊剤で簡単に水分を除去して小さく固形化できるため、産業廃棄処理や焼却処理において、省スペースや省エネルギーになり環境に優しい土のうになる。
【００１３】
【発明の実施の形態】
本発明の主要部分として、底面が円形、三角形、又は多角形を採用し、不織布を用いて筒状の袋を作成すると請求項１の記載のごとく、袋自体の自立性が確認できた。
【００１４】
自立機能をアップするため、三角形の筒のタテの稜に支持棒を挿入する袋を図２及び図３のように縫いつけてテストすると、請求項２の記載のごとく、より安定的に自立することが確認できた。
【００１５】
支持棒は、着地した底面に袋自体の重さで固定されるが、上部はかなり自由度が有り、動きが可能なため図４や図５のように構造体を袋に入れたり、または図６及び図７のように、側面補強体を貼り付けたり縫い付けることで、請求項３及び請求項４の記載のごとく、さらに安定的に自立可能な土のう袋が確認できた
【００１６】
【実施例１】
底面形として一辺が２５ｃｍの三角形で、図１のように不織布を用いて筒状の袋を縫製し、袋の中に吸水性高分子を入れ、水にて膨潤せしめたところ、請求項１の記載のごとく土のう袋としての自立性が確認できた。袋の中の吸水性高分子のゲルが、外へ流出しないように紐で上部を縛れるようにした。
【００１７】
【実施例２】
実施例１と同様の袋を作成し、自立機能をより安定させるため三角形の筒のタテの稜に、支持棒を挿入する袋を図２及び図３のように３箇所縫いつけた。このとき、支持棒を入れる袋の外周を６ｃｍとし、袋全体の高さ６６ｃｍに対して、底面から４０ｃｍの所に、下から入れる支持棒を留めるために二重縫いで縫込みを入れた。支持棒は、直径１．５ｃｍ，長さ４０ｃｍのものを使用した。次いで袋の中に吸水性高分子を入れ、水にて膨潤せしめたところ、請求項２の記載のごとく土のう袋としてのより自立性が確認できた。
【００１８】
【実施例３】
支持棒は、着地した底面に袋自体の重さで固定されるが、上部はかなり自由度が有り、動きが可能なため、実施例２の袋体の中に図４及び図５のような構造体を袋に入れた後、袋の中に吸水性高分子を入れ、水にて膨潤せしめたところ、請求項３の記載のごとく土のう袋として、さらに安定的に自立可能な事が確認できた。
【００１９】
【実施例４】
実施例３の構造体の代用として、袋体と同一素材を、図６及び図７のように袋の側面の下部に縫製した後、袋の中に吸水性高分子を入れ、水にて膨潤せしめたところ、請求項４の記載のごとく土のう袋として、さらに安定的に自立可能な事が確認できた。
【００２０】
しかしながら、底面が三角形の土のう袋は、袋の中に吸水性高分子を入れ水で膨潤せしめた後、土のう袋としての機能テストを行ったが、隣接する土のう袋との間の下部にスキマができ水漏れが発生した。
【００２１】
吸水性高分子が膨潤したゲルは、袋体内で均一な圧力になろうとして、外観は三角形であっても、側面は外に膨れたカーブを描いており、上部は自由度があるため大きいカーブになるが、下部は図９のように底面が三角形に縫製してあるため、自由度がなくカーブになりにくく水漏れすることが判明した。
そこで図１０のように、底面の三角形を外側に膨らませて九角形にし、縫う距離が増えた分だけ側面の巾を増やした土のう袋（改良型）を作ってテストすると、隣接する土のう袋との間に下部にも側面全体にカーブができて、スキマがみられず水漏れがなかった。
【００２２】
【実施例５】
底面を円形にしてその円周の長さと、側面の下部の長さを同じにした円筒状の土のう袋を作り、より安定的に自立するように、支持棒を入れた図５のような袋でテストした結果、隣接する土のう袋との間にスキマがなく水漏れもなかった。この円筒状の土のう袋は、製造に手間はかかるが、最善の形である。
【００２３】
吸水性高分子を入れ、水で膨潤させた後、上部を紐で縛った実施例１ないし４の改良型土のう袋と、実施例５の円筒状の土のうを用いて、小川の流水の一部を堰き止めるテストでは、いずれも流水を遮断し、土のう袋の下流側は川底が乾いてきたことが観察できたことで、本発明が土のう袋としての機能を十分発揮することが判明した。
【００２４】
吸水性高分子のかわりに、砂を入れた改良型土のう袋や、円筒形の土のう袋で前記の堰き止めテストを行ったが、いずれも土のう袋としての機能を満たしていることが判明した。
【００２５】
この改良型土のう袋は、都市部や市町村の舗装道路の冠水等から、住宅への浸水を阻止することを主目的に、自立性を持たせることにより取り扱いの簡便さを開発したものであるが、支持棒や構造体をはずせば従来の土のう袋と同じく横に積み重ねても使用可能であり、川の淵は、支持棒や構造体をはずして横に寝かせ積み重ねたほうが、流水の遮断効果が大きい場合がある。
【００２６】
【発明の効果】
本発明の土のう袋は、水漏れがないことで、流水の遮断には従来の土のう袋より機能がアップしている分、安心して使用できるため住民の生活道路や、都市部の道路などに最適である。
【００２７】
自立性があり、持ち運びが簡単であるから、土のう袋の並べるラインの変更も迅速に確実に実行できる。
【００２８】
本発明の土のう袋は、吸水性高分子を入れて密封して保管できるので、災害の恐れのある地域の近辺、例えば市町村役場や地域の学校、公民館、集会場等にも保管や備蓄が容易であり、迅速な対応が出来る。
【００２９】
本発明の土のう袋は、吸水性高分子を入れてゲルにした場合、約１０Ｋｇと手軽で町内の役員や婦人たちも、水を入れて土のう袋を作成・運搬等の協同作業が可能で、災害に対する住民の連帯意識が向上する。
【００３０】
【図面の簡単な説明】
【図１】底面が三角形で、筒状の自立性のある袋体。
【図２】底面が三角形で、側面の稜の３カ所に支持棒挿入部を付けた、筒状の自立性のある袋体。
【図３】図２の支持棒挿入部の拡大図
【図４】底面が三角形で、側面の稜の３カ所に支持棒挿入部を付け、さらに構造体を中に入れた、筒状の自立性のある袋体。
【図５】袋の中に入れる折りたたみ可能な構造体。
【図６】底面が三角形で、側面の稜の３カ所に支持棒挿入部を付け、さらに構造体の代わりに袋体と同一素材を、側面下部に貼り付け又は縫い付けた筒状の自立性のある袋体。
【図７】側面下部に貼り付け又は縫い付ける側面補強体。
【図８】底面が円形で、側面の３カ所に支持棒挿入部を付けた、筒状の自立性のある袋体。
【図９】改良前の底面図で、縫い込み線は内側の三角形。
【図１０】改良後の底面図で、縫い込み線は内側の九角形。
【符号の説明】
１  紐
２  支持棒挿入部
３  支持棒
４  袋の中に入れた折りたたみ可能な構造体
５  袋に貼り付け、又は縫いつけた補強体
６  改良前の底面部の縫い込み線（三角形）
７  改良後の底面部の縫い込み線（九角形）
【図１】
2005016051.tif 000003
【図２】
2005016051.tif 000004
【図３】
2005016051.tif 000005
【図４】
2005016051.tif 000006
【図５】
2005016051.tif 000007
【図６】
2005016051.tif 000008
【図７】
2005016051.tif 000009
【図８】
2005016051.tif 000010
【図９】
2005016051.tif 000011
【図１０】
2005016051.tif 000012